(57)【要約】【課題】  衛生面の不都合を生じさせることなく、容器内から必要数だけの錠剤を確実にかつ容易に取り出し得る錠剤容器を提供する。【解決手段】  容器本体３の口部３１に中栓部材５を圧入する。中栓部材５の天壁部５２の挿通孔５４に対しスライド部材６を内嵌させる。本体部６２内に錠剤Ｋの１錠分に対応するポケット部６２２を２つ設定し、各ポケット部６２２が外部に臨む引き出し位置毎に位置決め用の凸条６２３，６２３，…を本体部６２の外周に突出形成する。先端壁部６３を摘んで、必要数の錠剤の数に対応するポケット部６２２が外部に臨むようにスライド部材６を引き出し、先端壁部６３が下になるように錠剤容器２を上下逆にすれば、錠剤Ｋが容器本体３からポケット部６２２に入り込み、取り出し開口部６１から転がり出る。【選択図】      図１０
2014005042.tif 000002
【特許請求の範囲】
【請求項１】
錠剤を収容するための容器本体の口部に対し、その口部を閉止するように取り付けられる中栓部材と、この中栓部材の挿通孔に対し容器本体の内外方向にスライド移動可能に内嵌されるスライド部材とを備え、
前記スライド部材は、基端側が開口しかつ周方向の一側で取り出し開口部が前記内外方向に延びて開口する凹溝状の横断面形状を有し前記挿通孔に内嵌される本体部と、この本体部の先端側で前記挿通孔よりも外周側に張り出した先端壁部と、この先端壁部の背後の前記本体部内において前記錠剤の直径と対応する深さと前記錠剤の厚みに対応する溝幅とを有し１又は２以上の錠剤に対応するように設定された１以上のポケット部とを備えている、
ことを特徴とする錠剤容器。
【請求項２】
請求項１に記載の錠剤容器であって、
前記スライド部材の本体部の外面には、前記中栓部材の挿通孔に係合して前記スライド部材を所定の引き出し位置に位置決める位置決め部が突出形成され、
前記位置決め部は、１又は２以上のポケット部が外部に臨むことになる引き出し位置毎に前記スライド部材を位置決めるように配置されている、錠剤容器。
【請求項３】
請求項１又は請求項２に記載の錠剤容器であって、
前記中栓部材は、基端側が前記容器本体の内部に開口し前記容器本体の口部の内周面に密着することになる周壁部と、この周壁部の先端側を閉止する一方、前記挿通孔が貫通形成された天壁部と、前記周壁部の内部において前記容器本体内に収容された錠剤を前記スライド部材の取り出し開口部に案内誘導するための形状部とを備え、
前記形状部は、前記スライド部材の本体部の溝幅方向の一側位置において前記内外方向に直立した壁面と、前記本体部の溝幅方向の他側位置において外周位置から前記本体部に向けて錠剤を斜めに滑動させるためのスロープ面とを備えている、錠剤容器。
【発明の詳細な説明】
【技術分野】
【０００１】
本発明は、内部に収容された錠剤（粒状固形薬等含む）を必要個数ずつ外部に取り出すために用いられる錠剤容器に関する。
【背景技術】
【０００２】
従来から、容器内から薬剤等を数的又は量的に必要分だけ取り出し得るようにするために、種々の計量容器や振り出し容器が提案されている（例えば特許文献１〜４参照）。特許文献１では、排出孔を形成した固定栓で容器の口部を閉止し、排出孔に対し計量栓をスライド移動可能に取り付け、この計量栓の容器内に位置する部位に複数の計量凹部を形成し、計量栓を押し込んだ状態で計量凹部内にそれぞれ粒状、顆粒状、粉状の薬剤を容器内で入れ込んだ後に、計量栓を外部に引き出すことで薬剤を取り出し得るようにすることが提案されている（例えば特許文献１の段落００１９，図１５〜図１７）。特許文献２では、容器の口部に対しヒンジ連結された蓋体の下面に容器内に突出する筒状栓を形成し、この筒状栓に対し錠剤が入り込んで仮止めされる仮止め室を形成しておき、容器を横倒し状態にして仮止め室内に錠剤を入り込ませ、この状態で蓋体を開くことで仮止め室内の錠剤が外部に取り出されるようにすることが提案されている。
【０００３】
又、特許文献３では、樋状の受皿部を有する取り出し部材を容器の口部に対しスライド可能に内嵌させる一方、容器を取り出し部材の軸回りに回転可能とし、取り出し部材に対し容器を回転させて容器内の錠剤を受皿部に入り込ませた後、取り出し部材を外部に引き出せば、受皿部内の錠剤が取り出されるようにすることが提案されている。さらに、特許文献４では、容器の口部に対し、容器内と連通し上方に突出する半円筒状のヘッド部材を取り付け、ヘッド部材の半円部分を開口させる一方、ヘッド部材をキャップで開閉可能に覆い、キャップを外して容器全体を横に傾けることで容器内からヘッド部材の開口まで錠剤が転げ出るようにすることが提案されている。
【先行技術文献】
【特許文献】
【０００４】
【特許文献１】特開平８−１０４３７６号公報
【特許文献２】特許第３９４２０１９号公報
【特許文献３】特許第４０５６８２０号公報
【特許文献４】特開２００４−９０９７４号公報
【発明の概要】
【発明が解決しようとする課題】
【０００５】
しかしながら、特許文献１〜３で提案のものでは、容器を傾けたり回転させたりすることで容器内において錠剤を計量凹部、仮止め室もしくは受皿部内に入り込ませ、その上で、計量栓や取り出し部材を外部に引き出したり蓋体を開けたりすることで錠剤を外部に取り出し得るようにしたものであるため、引き出したり開けたりするまでは計量凹部等の内部に錠剤が入り込んでいるか否かが分からず、引き出してみたが錠剤は入り込んではいなかった、という事態が生じるおそれもある。又、特許文献４で提案のものでは、容器の口部からヘッド部材が突出する上に、キャップを開けて横に傾けると本来の必要数以上に転げ出てくるおそれがあり、不要の錠剤を容器内に戻すことで衛生面に問題が生じるおそれもある。
【０００６】
本発明は、このような事情に鑑みてなされたものであり、その目的とするところは、衛生面の不都合を生じさせることなく、容器内から必要数だけの錠剤を確実にかつ容易に取り出し得る錠剤容器を提供することを課題とする。
【課題を解決するための手段】
【０００７】
上記目的を達成するために、本発明に係る錠剤容器では、錠剤を収容するための容器本体の口部に対し、その口部を閉止するように取り付けられる中栓部材と、この中栓部材の挿通孔に対し容器本体の内外方向にスライド移動可能に内嵌されるスライド部材とを備えることとする。そして、前記スライド部材として、基端側が開口しかつ周方向の一側で取り出し開口部が前記内外方向に延びて開口する凹溝状の横断面形状を有し前記挿通孔に内嵌される本体部と、この本体部の先端側で前記挿通孔よりも外周側に張り出した先端壁部と、この先端壁部の背後の前記本体部内において前記錠剤の直径と対応する深さと前記錠剤の厚みに対応する溝幅とを有し１又は２以上の錠剤に対応するように設定された１以上のポケット部とを備えたものとした（請求項１）。
【０００８】
本発明の場合、選択したポケット部が外部に臨むようになる位置までスライド部材を引き出した状態で、その引き出されたスライド部材が斜め下向き又は下向きになるように全体を傾ければ、容器本体内から錠剤がスライド部材の本体部を通してポケット部に入り込むことになる。このポケット部に入り込んだ錠剤を取り出し開口部から視覚により確認した上で、さらに錠剤容器を傾ければ錠剤が取り出し開口部から転がり出ることになる。錠剤の必要数に相当するポケット部だけ外部に臨むように引き出すことで、必要数の錠剤だけを外部に取り出すことが可能となる。そして、取り出し操作が終われば、先端壁部を挿通孔の側に押し込めば、スライド部材は中栓部材内に収容されて容器本体内は密閉可能となり、衛生面の不都合が生じることはない。
【０００９】
前記発明において、スライド部材の本体部の外面に、中栓部材の挿通孔に係合してスライド部材を所定の引き出し位置に位置決める位置決め部を突出形成し、かかる位置決め部として、１又は２以上のポケット部が外部に臨むことになる引き出し位置毎にスライド部材を位置決めるように配置することができる（請求項２）。このようにすることにより、必要数の錠剤の数に対応するポケット部だけを外部に臨んだ状態に確実に引き出すことが可能となり、必要数だけの錠剤の取り出しをより確実に、しかも容易に実現させることが可能となる。
【００１０】
又、前記発明において、中栓部材として、基端側が容器本体の内部に開口し容器本体の口部の内周面に密着することになる周壁部と、この周壁部の先端側を閉止する一方、挿通孔が貫通形成された天壁部と、周壁部の内部において容器本体内に収容された錠剤をスライド部材の取り出し開口部に案内誘導するための形状部とを備え、この形状部として、スライド部材の本体部の溝幅方向の一側位置においてスライド部材のスライド方向に直立した壁面と、本体部の溝幅方向の他側位置において外周位置から本体部に向けて錠剤を斜めに滑動させるためのスロープ面とを備えたものとすることができる（請求項３）。このようにすることにより、引き出したポケット部が斜め下又は下になるように錠剤容器を傾けたときに、容器本体内の錠剤がスロープ面に沿って滑動してスムーズにスライド部材の本体部内に入れ込ませることが可能となる一方、直立した壁面の存在によって、左右両側から錠剤が一カ所に向けてロート状の面を滑動することに起因する干渉に伴う詰まり発生のおそれを回避し得ることになる。
【発明の効果】
【００１１】
以上、説明したように、本発明の錠剤容器によれば、選択したポケット部が外部に臨むようになる位置までスライド部材を引き出した状態で、その引き出されたスライド部材が斜め下向き又は下向きになるように全体を傾ければ、容器本体内からスライド部材の本体部を通して錠剤をポケット部に入り込ませることができる。このポケット部に入り込んだ錠剤を取り出し開口部から視覚により確認した上で、さらに錠剤容器を傾ければ錠剤が取り出し開口部から転がり出て取り出すことができるようになる。錠剤の必要数に相当するポケット部だけ外部に臨むように引き出すことにより、必要数の錠剤だけを外部に取り出すことができ、しかも、取り出し操作が終われば、先端壁部を挿通孔の側に押し込めば、スライド部材は中栓部材内に収容されて容器本体内を密閉することができるため、衛生面の不都合が生じることはない。
【００１２】
特に、請求項２によれば、スライド部材の本体部の外面に、中栓部材の挿通孔に係合してスライド部材を所定の引き出し位置に位置決める位置決め部を突出形成し、かかる位置決め部として、１又は２以上のポケット部が外部に臨むことになる引き出し位置毎にスライド部材を位置決めるように配置することで、必要数の錠剤の数に対応するポケット部だけを外部に臨んだ状態に確実に引き出すことができるようになり、必要数だけの錠剤の取り出しをより確実に、しかも容易に実現させることができるようになる。
【００１３】
請求項３によれば、中栓部材として、基端側が容器本体の内部に開口し容器本体の口部の内周面に密着することになる周壁部と、この周壁部の先端側を閉止する一方、挿通孔が貫通形成された天壁部と、周壁部の内部において容器本体内に収容された錠剤をスライド部材の取り出し開口部に案内誘導するための形状部とを備え、この形状部として、スライド部材の本体部の溝幅方向の一側位置においてスライド部材のスライド方向に直立した壁面と、本体部の溝幅方向の他側位置において外周位置から本体部に向けて錠剤を斜めに滑動させるためのスロープ面とを備えたものとすることで、引き出したポケット部が斜め下又は下になるように錠剤容器を傾けたときに、容器本体内の錠剤がスロープ面に沿って滑動してスムーズにスライド部材の本体部内に入れ込ませることができる一方、直立した壁面の存在によって、左右両側から錠剤が一カ所に向けてロート状の面を滑動することに起因する干渉に伴う詰まり発生のおそれを回避することができるようになる。
【図面の簡単な説明】
【００１４】
【図１】本発明の第１実施形態に係る錠剤容器の縦断面図である。
【図２】図１の錠剤容器の分解斜視図である。
【図３】図２中の中栓部材とスライド部材との拡大図である。
【図４】図４（ａ）は図１の錠剤容器の要部拡大図であり、図４（ｂ）は図４（ａ）の中栓部材及びスライド部材のＡ−Ａ線における断面図である。
【図５】図４の錠剤部材のスライド部材を第１段位置まで引き出した状態における部分拡大図を含む図４対応図である。
【図６】図６（ａ）はスライド部材を第１段位置まで引き出した状態で全体を斜め下向きに傾けた状態の斜視図であり、図６（ｂ）はスライド部材を第２段位置まで引き出した状態の図６（ａ）のＰ部に対応する部分図である。
【図７】図４の錠剤部材のスライド部材を第２段位置まで引き出した状態における部分拡大図を含む図４対応図である。
【図８】図７のＢ−Ｂ線における断面図である。
【図９】錠剤１つ取り出しの場合と、錠剤２つ取り出しの場合とに分けて斜視図状態で操作手順を示す説明図である。
【図１０】錠剤２つ取り出しの場合を例にした図７に対応する断面説明図である。
【図１１】同様に錠剤２つ取り出しの場合を例にした図８に対応する断面説明図である。
【図１２】第２実施形態の図１対応図である。
【図１３】第２実施形態の図４対応図である。
【図１４】第２実施形態のスライド部材を第１段位置まで引き出した状態の斜視図である。
【発明を実施するための形態】
【００１５】
以下、本発明の実施形態を図面に基づいて説明する。
【００１６】
＜第１実施形態＞
図１及び図２は、本発明の第１実施形態に係る錠剤容器２を示す。この錠剤容器２は、容器本体３と、容器本体３の口部３１の外周面にねじ込まれることにより口部３１を開閉可能に覆うキャップ４と、容器本体３の口部３１内周面に対し上から圧入気味に押し込まれることにより口部３１の開口を閉止するように装着される中栓部材５と、中栓部材５に対し容器本体３の軸Ｘ方向（容器本体３を載置した状態における上下方向：以下、単に「上下方向」という）にスライド移動可能に内嵌されて保持されたスライド部材６とを備えたものである。なお、図１及び図２に符号４１で示すものはシール用パッキンである。容器本体３はガラス製又は合成樹脂製のもので構成すればよく、他のキャップ４、中栓部材５又はスライド部材６はいずれも合成樹脂成形により形成すればよい。以下、特に、中栓部材５及びスライド部材６について、主として図３及び図４を参照しつつ詳細に説明する。
【００１７】
中栓部材５は、下面が開放される一方、上面が閉止された円筒形状を有し、口部３１内に押し込み気味に内嵌させることで口部３１の内周面に密着することになる周壁部５１と、上面を閉止するための天壁部５２と、天壁部５２の外周側位置から上向きに突出する上向きリブ５３とを備えて構成されている。天壁部５２の外周縁５２１は周壁部５１よりも外周側に突出され、この外周縁５２１が口部３１の上端面に密着されるようになっている。又、天壁部５２の中央位置には、スライド部材６が内嵌される挿通孔５４が貫通形成されている。挿通孔５４の孔周囲には、スライド部材６の後述の取り出し開口部６１と同じ向きに開口する開口部分５４０を除き、他の周囲に上下方向に所定の厚みを形成する孔縁部５４１が形成されている。この孔縁部５４１に所定の厚みを付す理由はスライド部材６の摘み代を確保するためである。すなわち、孔縁部５４１の上面に対し、スライド部材６の後述の先端壁部６３の外周縁側の下面が当接して挿通孔５４を閉止することで、先端壁部６３を天壁部５２から所定量上方に浮かした状態に位置付けて、使用者の指で先端壁部６３の外周縁を摘んでスライド部材６を上方に引き出し得るようにするためである。又、周壁部５１の内周側の空間には、錠剤をスライド部材６の後述のポケット部６２２，６２２内に対し干渉を防止しつつ案内誘導するために、所定形状の各種形状部、すなわち、干渉防止部５５、案内誘導部５６，５７及び入り込み防止部５８が形成されている。これらの各種形状部の詳細については後述する。
【００１８】
スライド部材６は、取り出し開口部６１が側方に開口されたＵの字を横向きにしたような凹溝状（樋状）の横断面形状を有し上下方向に延びる半筒状の本体部６２と、上端面を閉止しつつ外方に張り出した先端壁部６３とで基本構成されている。本体部６２の溝深さＥは錠剤Ｋ（図１０も併せて参照）の直径よりも若干量大きく、かつ、開口幅Ｈは錠剤Ｋ（図１１も併せて参照）の最大幅よりも若干量大きく、なるようにそれぞれ設定されている。又、本体部６２の上下方向長さは、取り出し得る錠剤の個数分の直径に、最大スライド移動状態（例えば図７，図１０又は図１１の状態）でスライド部材６が挿通孔５４から抜け出ずに安定姿勢を維持できる程度の余裕代を加えた寸法に設定されている。図例のものは、錠剤を最大で２錠取り出しできるように設定されたものを示している。従って、先端壁部６３の側には、２錠分の錠剤が入り込むための空間である２つ分のポケット部６２２，６２２が設定され、各ポケット部６２２の上下方向寸法が錠剤１錠分の直径に相当するよう設定され、これらポケット部６２２，６２２以外の下側部位には上下方向に複数本のスリット部６２１，６２１，…が形成され、製造組み付け時に挿通孔５４に対し内嵌させ易いようにされている。
【００１９】
本体部６２の取り出し開口部６１を除く外周面には、１つのポケット部６２２毎にスライド時の引き出し位置（後述の第１段位置及び第２段位置）を使用者に対し認識させるための節度感付与用及び位置決め用の微小な凸条６２３，６２３，…が外面に突出形成される一方、１つのポケット部６２２毎に内部に錠剤が入り込んでいることを容易に確認し得るようにするための窓部６２４，６２４が溝底側の両側位置にそれぞれ開口形成されている。すなわち、錠剤を１錠だけ取り出す場合にスライド部材６を第１段位置（図５及び図６（ａ）参照）まで外部上方に引き出したときに、挿通孔５４の孔縁部５４１を上下各位置から挟み込む位置にそれぞれ凸条６２３が位置付けられ、錠剤を２錠取り出す場合にスライド部材６を第２段位置（図７，図６（ｂ）及び図８参照）までさらに上方に引き出したときに、挿通孔５４の孔縁部５４１を凸条６２３が上側から挟み込む位置に、抜け止め防止用のストッパ６２５が下側から挟み込む位置にそれぞれ位置付けられるようになっている。つまり、第１段位置においては、上側の凸条部６２３が孔縁部５４１を乗り越える際に使用者にもたらされる節度感により第１段位置が近いことを認識させ、下側の凸条部６２３が孔縁部５４１の下角に当たる際の節度感により第１段位置に到達したことを把握させて位置決めし得るのである。又、第２段位置においても同様に、上側の凸条部６２３が孔縁部５４１を乗り越える際に使用者にもたらされる節度感により第１段位置が近いことを認識させ、下側のストッパ６２５が孔縁部５４１の下角に突き当たって当止される際の操作感により第２段位置に到達したことを確実に把握させて位置決めし得るのである。以上の凸条６２３，６２３，…やストッパ６２５によって、挿通孔５４の孔縁部５４１に対し係合してスライド部材６を第１段位置や第２段位置に位置決めする位置決め部が構成されている。
【００２０】
次に、中栓部材５の内周側空間に形成された前記の各種形状部５５，５６，５７，５８について説明する。これらは、スライド部材６の下端開口や取り出し開口部６１からポケット部６２２，６２２内に対し容器本体３内から錠剤が流入し易いようにするために形成されたものである。すなわち、干渉防止部５５は、図３，図４（ｂ）及び図１１に示すように容器本体３の内部から上を見上げた場合にスライド部材６を挟んで半円範囲の全体を閉止するように形成されたものである。この干渉防止部５５や案内誘導部５６はその形状に沿った表面壁や塊状のものを形成してもよいが、軽量化や、中栓部材５全体の合成樹脂成形における型抜きを考慮してその軸Ｘ方向に沿った同心円状の複数の壁（特に図４（ｂ）参照）を錠剤の最小厚みよりも小さい間隔で形成することで所定形状の形状部を実現するようにしている。一方、案内誘導部５６は、干渉防止部５５とは反対側の半円範囲に形成され、全体として、外周側から内周側であるスライド部材６の配設位置の側に向けて斜めに傾斜するスロープを構成するように形成されている（特に図１１参照）。これら干渉防止部５５及び案内誘導部５６によって、スライド部材６を引き出した状態で錠剤容器２（図１１参照）を上下逆にすると、容器本体３内の錠剤がスライド部材６のポケット部６２２，６２２に向けて案内誘導部５６の表面に沿って滑動する一方、干渉防止部５５の存在によって左右両側からの錠剤同士の干渉・詰まりの発生が防止されることになる。すなわち、干渉防止部５５が仮に無ければ中央位置のスライド部材６に向けて左右両側からロート状に下向きに滑動してしまい、相互に干渉しあうことによって詰まり発生の原因にもなりかねないことになる。これを回避するために、錠剤容器２を上下逆にした場合に片側の半円範囲を閉止してスライド部材６に向けて軸Ｘ方向に真下に延びる壁面を干渉防止部５５によって形成する一方、他の片側の半円範囲には滑り台の如きスロープを案内誘導部５６によって形成するようにしている。又、取り出し開口部６１に相対向する部位にも案誘導部５７が形成され、この案誘誘導部５７は、錠剤容器２を上下逆にした場合に容器本体３の側から取り出し開口部６１に向けて錠剤を案内誘導し得るように斜め下向きの斜面を形成している。その一方、スライド部材６を挟んで前記の案内誘導部５７とは反対側には、本体部６２の溝底部側との間に錠剤が入り込むことを防止するための入り込み防止部５８を形成するようにしている。
【００２１】
以上の錠剤容器２の場合、容器本体３内に錠剤を充填し、スライド部材６を事前に内嵌させた状態の中栓部材５を口部３１に押し込んで固定する。そして、パッキン４１付きのキャップ４をねじ込んで閉止すれば、製品として完成する。次に、この錠剤容器２を用いて所定数の錠剤を取り出す手順について説明すると、まず、キャップ４を外した状態の錠剤容器２（図９参照）のスライド部材６の先端壁部６３を例えば指で摘んで上方に引き出す。この際、錠剤を１錠だけ取り出すのであればスライド部材６を第１段位置まで上方に引き出し（図９の上側の手順Ｓ１１参照）、２錠取り出すのであればスライド部材６を第２段位置まで上方に引き出す（図９の下側の手順Ｓ２１参照）。次に、スライド部材６を引き出した状態で引き出したスライド部材６の先端壁部６３が斜め下になるように錠剤容器２の全体を傾けるか（図９の手順Ｓ１２又はＳ２２参照）、スライド部材６の先端壁部６３が真下になるように錠剤容器２を上下反転させる（図９の手順Ｓ１３又はＳ２３参照）。先端壁部６３が斜め下になるように錠剤容器２の全体を傾けた場合には（図６参照）、スライド部材６の取り出し開口部６１が上向きになるようにする。すると、先端壁部６３を斜め下にした場合も、真下になるようにした場合も、容器本体３の内部の錠剤が案内誘導部５６，５７等に案内誘導されてスライド部材６の基端側の開口から本体部６２の溝内に入り込み、その錠剤Ｋ，Ｋが先端壁部６３の背後のポケット部６２２，６２２内まで転がり落ちることになる（例えば図１０又は第１１参照）。そして、先端壁部６３が斜め下になるように錠剤容器２の全体を傾けた場合には（図９の手順Ｓ１２又はＳ２２参照）、錠剤容器２を例えば軸Ｘの回りに回転させることにより各ポケット部６２２から錠剤が取り出し開口部６１から転がり出て取り出されることになる。必要数だけ取り出した後は、錠剤容器２を本来の上下方向に復元して先端壁部６３を中栓部材５内に押し込めば、容器本体３内が密閉されることになる（図９の手順Ｓ１０，２０参照）。
【００２２】
以上の錠剤容器２の場合、取り出し開口部６１からポケット部６２２内に錠剤が入り込んでいるのを見て錠剤の存在を明確に確認した上で、取り出し操作（例えば軸Ｘ回りに回転操作）することができる。錠剤の存在確認は取り出し開口部６１の側からでも、窓部６２４を通してでも、いずれでも行うことができる。しかも、スライド部材６を予め必要数に対応する位置（第１段位置又は第２段位置）まで引き出した状態にした上で、錠剤容器２を斜め下か上下逆にして取り出し操作を行うようにしているため、必要数の錠剤だけを取り出すことができ、取り出し後は先端壁部６３を押してスライド部材６を中栓部材５内に押し込むだけで、内部を密閉状態に復元することができ、衛生面に問題が生じるおそれを回避することができる。以上より、衛生面の不都合を生じさせることなく、容器本体３内から必要数だけの錠剤を確実にかつ容易に取り出し得る錠剤容器２を提供することができるようになる。
【００２３】
＜第２実施形態＞
図１２〜図１４は、本発明の第２実施形態に係る錠剤容器２ａを示す。この錠剤容器２ａは、中栓部材５ａの天壁部５２と、スライド部材６の先端壁部６３とを互いに面一状態にして、これら天壁部５２及び先端壁部６３と、キャップ４のパッキン４１とを互いに面接触で密着させ得るようにした点で、中栓部材５の上向きリブ５３と、パッキン４１とが互いに接触する第１実施形態と異なるものである。その他の構成要素や材質・形成材料等については第１実施形態のものと同様構成であるため、同一構成要素には同一符号を付して重複した詳細な説明を省略する。
【００２４】
第２実施形態の中栓部材５ａは、図１３及び図１４に示すように、第１実施形態の中栓部材５にある上向きリブ５３及び孔縁部５４１を省略し、天壁部５２ａに対し、スライド部材６の先端壁部６３を没入させるための収容凹部５２２と、没入状態の先端壁部６３を指で摘んで引き出し操作を可能とするための指入れ凹部５２３，５２３とを形成したものである。挿通孔５４ａは孔縁部５４１を省略して天壁部５２ａの上面と面一にした点でのみ、第１実施形態とは異なるものの、その他の構成は第１実施形態で説明した中栓部材５と同様である。
【００２５】
以上の第２実施形態の錠剤容器２ａの場合、スライド部材６の先端壁部６３を摘んで引き出す操作を行う場合には、指を指入れ凹部５２３，５２３に差し込んで先端壁部６３を摘むことができる。錠剤の取り出し手順等は第１実施形態と同じである。特に第１実施形態と異なる点は、キャップ４で閉状態にした場合には、キャップ４を容器本体３の口部３１にねじ込むことにより、パッキン４１が中栓部材５の天壁部５２及びスライド部材６の先端壁部６３に対し面接触で密着した状態で、容器本体３の口部３１の上端面に押し付けられることになり、第１実施形態の場合と比して、より確実にシールすることができるようになることである。
【００２６】
＜他の実施形態＞
なお、本発明は上記第１又は第２実施形態に限定されるものではなく、その他種々の実施形態を包含するものである。すなわち、上記第１又は第２実施形態では、挿通孔５４，５４ａを中栓部材５の天壁部５２の中央位置で開口するように配置しているが、これに限らず、偏心位置に配置するようにしてもよい。この場合には中栓部材５の内部の各種形状部５５〜５８もその偏心位置に応じて変形させればよい。又、第１又は第２実施形態では、１錠又は２錠の取り出しを選択可能にした例を示したが、これに限らず、１錠のみの取り出し用に構成したり、あるいは、１〜３錠以上の取り出しを選択的可能に構成したり、するようにしてもよい。又、第１段位置又は第２段位置にスライド部材６を引き出して錠剤容器２を斜め下又は上下逆に傾けることでポケット部６２２に錠剤を入れ込んだ際に、各ポケット部６２２中の錠剤を取り出しても、それ以上は錠剤がポケット部６２２に入り込まないようにするために、取り出し開口部６１に面した挿通孔５４，５４ａの表面に突起５９（例えば図１０参照）を突出形成するようにしてもよい。
【符号の説明】
【００２７】
２，２ａ        錠剤容器
３              容器本体
５，５ａ        中栓部材
６              スライド部材
３１            口部
５１            周壁部
５２            天壁部
５４，５４ａ    挿通孔
５５            干渉防止部（形状部）
５６，５７      案内誘導部（形状部）
６１            取り出し開口部
６２            本体部
６３            先端壁部
６２２          ポケット部
Ｋ              錠剤
【図１】
2014005042.tif 000003
【図２】
2014005042.tif 000004
【図３】
2014005042.tif 000005
【図４】
2014005042.tif 000006
【図５】
2014005042.tif 000007
【図６】
2014005042.tif 000008
【図７】
2014005042.tif 000009
【図８】
2014005042.tif 000010
【図９】
2014005042.tif 000011
【図１０】
2014005042.tif 000012
【図１１】
2014005042.tif 000013
【図１２】
2014005042.tif 000014
【図１３】
2014005042.tif 000015
【図１４】
2014005042.tif 000016